(57)【要約】【課題】電率検出器の検出部を計器元弁の先まで挿入させた試料の測定時における導電率検出器の設地位置と、導電率検出器の検出部が計器元弁により挟み込まれない位置まで引き抜かれた試料の非測定時における導電率検出器の設置位置を、保守作業員の経験に基づいた感覚に頼ることなく、誰もが容易に確認することができる導電率検出器の進退移動台座を提供する。【解決手段】導電率検出器を取り付けている基台と、基台に固定している水平棒部材と、水平棒部材を挿入・引き抜きさせて貴台の移動範囲を制限する箱体と、を備え、この箱体は、水平棒部材を最も進入させたときに、導電率検出器の検出部を計器元弁の先まで挿入させた試料の測定時における導電率検出器の設置位置に基台を配置し、水平棒部材を最も引き抜いたときに、導電率検出器の検出部が計器元弁により挟み込まれない位置まで引き抜かれた試料の非測定時における導電率検出器の設置位置に基台を配置する。【選択図】図１
2009244099.tif 000002
【特許請求の範囲】
【請求項１】
測定対象の各系統からサンプリング配管にて導いている試料の導電率を測定する導電率検出器の設置位置を、サンプリング配管の端部で前後方向に移動させることのできる導電率検出器の進退移動台座であって、導電率検出器を取り付けている基台と、基台に固定している水平棒部材と、水平棒部材を挿入・引き抜きさせて貴台の移動範囲を制限する箱体と、を備え、この箱体は、水平棒部材を最も進入させたときに、導電率検出器の検出部を計器元弁の先まで挿入させた試料の測定時における導電率検出器の設置位置に基台を配置し、水平棒部材を最も引き抜いたときに、導電率検出器の検出部が計器元弁により挟み込まれない位置まで引き抜かれた試料の非測定時における導電率検出器の設置位置に基台を配置することを特徴とする導電率検出器の進退移動台座。
【請求項２】
基台に沿ってスケールを固定している請求項１に記載の導電率検出器の進退移動台座。
【発明の詳細な説明】
【技術分野】
【０００１】
本発明は、測定対象の各系統からサンプリング配管にて導いている液体の導電率を測定する導電率検出器の設置位置を、サンプリング配管の端部で前後方向に移動させることのできる導電率検出器の進退移動台座に関するものである。
【背景技術】
【０００２】
プラントの配管を流れる液体の導電率を測定するための方法として、系統の配管に接続しているサンプリング配管により試料である液体を連続的に採取し、この採取した液体の導電率を測定している。
【０００３】
そして、この方法を実施するとき、サンプリング配管の端部に計測機器の検出端を設け、そこに導電率検出器を設置して連続的にデータを得る手法がある。このとき、導電率検出器は、サンプリング配管の端部に位置する計測機器の検出端に所定の台座を用いて取り付けられている。
【０００４】
また、導電率検出器の手前に位置する、測定対象の各系統とサンプリング系統に元弁を設け、この元弁を介して測定対象の各系統とサンプリング系統との隔離を行うことができるようにしている。
【０００５】
そして、導電率検出器の点検・校正を行う際には、この元弁を予め閉じている。即ち、元弁を閉じて、サンプリング系統を測定対象の各系統から隔離した状態で、導電率検出器の点検・校正を行っているのである。
【０００６】
さらに、測定対象の各系統からサンプリング系統を隔離する元弁とは別に、サンプリング配管の端部に位置する計測機器の検出端の手前に計器元弁を設け、点検等により導電率検出器を取り外す際に、導電率検出器の検出部を計器元弁より引き抜いた位置にて、計器元弁を閉じ、サンプリング配管が開放されない措置をとっている。
【０００７】
また、導電率検出器は、図８(ａ)に示すように、検出部をサンプリング配管に挿入させ、測定対象の各系統からサンプリング配管に導いている液体に検出部を接触させることにより、液体の導電率を測定している。
【０００８】
そして、導電率検出器の検出部により液体の導電率を正確に測定するために、導電率検出器の検出部を計器元弁よりも先まで挿入する必要がある。
【０００９】
このように導電率検出器の検出部を計器元弁の先まで挿入した状態のまま、計器元弁を閉じると、計器元弁の弁体により検出部を挟み込んでしまい、導電率検出器の検出部を破損してしまう。
【００１０】
従って、液体の導電率を正確に測定するためには、図８(ａ)に示すように、導電率検出器の検出部を計器元弁の先まで挿入するように導電率検出器を設置することが必要である一方、点検の際には、図８(ｂ)に示すように、導電率検出器の検出部が計器元弁により挟み込まれない位置まで検出部を引き抜くようにして導電率検出器を設置する必要がある。
【特許文献１】特になし
【発明の開示】
【発明が解決しようとする課題】
【００１１】
しかし、導電率検出器の検出部を計器元弁の先まで挿入しているかどうかの判断、また、導電率検出器の検出部が計器元弁により挟み込まれない位置まで引き抜かれているかどうかの判断は、保守作業員の経験に基づいた感覚に頼っているのが実情である。
【００１２】
そのため、導電率検出器の検出部を計器元弁よりも先まで挿入させない位置に導電率検出器を設置して、液体の導電率を正確に測定できない事態が生じていた。
【００１３】
また、導電率検出器の検出部を計器元弁の先まで挿入させた状態のまま計器元弁を閉じてしまい、計器元弁の弁体により検出部を挟み込んで導電率検出器の検出部を破損してしまうこともあった。
【００１４】
その結果、導電率検出器をその都度交換しなければならなくなり、プラントの配管を流れる液体の導電率の測定において、欠測という事態が生じてしまい、問題となっていた。
【００１５】
そこで、本発明は如上のような従来存した諸事情に鑑み創出されたもので、電率検出器の検出部を計器元弁の先まで挿入させた試料の測定時における導電率検出器の設地位置と、導電率検出器の検出部が計器元弁により挟み込まれない位置まで引き抜かれた試料の非測定時における導電率検出器の設置位置を、保守作業員の経験に基づいた感覚に頼ることなく、誰もが容易に確認することができる導電率検出器の進退移動台座を提供することを目的とする。
【課題を解決するための手段】
【００１６】
本発明は、測定対象の各系統からサンプリング配管にて導いている試料の導電率を測定する導電率検出器の設置位置を、サンプリング配管の端部で前後方向に移動させることのできる導電率検出器の進退移動台座であって、導電率検出器を取り付けている基台と、基台に固定している水平棒部材と、水平棒部材を挿入・引き抜きさせて貴台の移動範囲を制限する箱体と、を備え、この箱体は、水平棒部材を最も進入させたときに、導電率検出器の検出部を計器元弁の先まで挿入させた試料の測定時における導電率検出器の設置位置に基台を配置し、水平棒部材を最も引き抜いたときに、導電率検出器の検出部が計器元弁により挟み込まれない位置まで引き抜かれた試料の非測定時における導電率検出器の設置位置に基台を配置することで、上述した課題を解決した。
【００１７】
また、基台に沿ってスケールを固定していることで、同じく上述した課題を解決した。
【発明の効果】
【００１８】
本発明は、導電率検出器を取り付けている基台を備えており、この基台を介して、測定対象の各系統からサンプリング配管に導いている液体の導電率を測定する導電率検出器の設置位置を、サンプリング配管の端部で前後方向に移動させることができる。
【００１９】
また、基台に固定している水平棒部材と、水平棒部材を挿入・引き抜きさせて基台の移動範囲を制限する箱体と、を備え、この箱体は、水平棒部材を最も挿入させたときに、導電率検出器の検出部を計器元弁の先まで挿入させた試料の測定時における導電率検出器の設置位置に基台を配置することから、保守作業員は試料の測定時における導電率検出器の設置位置を即座に確認して、導電率検出器を固定できる。
【００２０】
そのため、導電率検出器の検出部を計器元弁の先まで挿入させた正しい位置に導電率検出器を設置して、試料である液体の導電率を常に正確に測定することができる。
【００２１】
また、箱体は、水平棒部材を最も引き抜いたときに、導電率検出器の検出部が計器元弁により挟み込まれない位置まで引き抜かれた試料の非測定時における導電率検出器の設置位置に基台を配置することから、保守作業員は試料の非測定時における導電率検出器の設置位置を即座に確認して、導電率検出器を固定できる。
【００２２】
このように、試料の非測定時における導電率検出器の設置位置を、保守作業員の経験に基づく感覚に頼ることなく簡単に確認できることから、導電率検出器を計器元弁の先まで挿入した状態のまま計器元弁を閉めてしまい、計器元弁の弁体により検出部を挟み込んで導電率検出部を破損してしまう事態の発生を確実に回避することができる。
【００２３】
また、プラントの配管を流れる液体の導電率の測定において、導電率検出器の破損を防いで、欠測という事態の発生も回避することができる。
【００２４】
さらに、基台に沿ってスケールを固定していることから、基台を介して移動する導電率検出器の位置を正確に把握することができる。
【発明を実施するための最良の形態】
【００２５】
以下に、本発明を実施するための最良の形態を、図面を参照して説明する。
【００２６】
本発明に係る導電率検出器１の進退移動台座は、図１・図２に示すように、測定対象の各系統からサンプリング配管Ｓを介し、導電率検出器１へ導いた試料の導電率を測定する導電率検出器１の設置位置を、サンプリング配管Ｓの端部で前後方向に移動させることができるものである。
【００２７】
サンプリング配管Ｓは、図３に示すように、主配管Ｐに接続されているもので、その設置場所に応じて、種々の異なる長さを有している。このサンプリング配管Ｓの端部近傍には、計器元弁Ｇが取り付けられている。導電率検出器１は、この計器元弁Ｇの隣に設置されている。
【００２８】
進退移動台座を介して前後方向に移動する導電率検出器１は、図４に示すように、ユニバーサルヘッド２を介してコンジット３に接続されるコネクタハウジング４の一端に、検出部５を突出状に設けている。
【００２９】
検出部５は、例えば、チタン電極、若しくは、フッ素樹脂により被覆されたグラファイト電極等を、モールド材を介して突設して導電率セルを形成している。この検出部５（導電率セル）は、筒状の外部電極と、外部電極内に挿入された内部電極を有している。この内部電極の、例えば、内側には温度補償器が取り付けられており、外部電極には計測している液体の流路となる孔が設けられている。
【００３０】
そして、試料としての液体の導電率を測定する際には、図１に示すように、サンプリング配管Ｓの計器元弁Ｇを開放してから、検出部５（導電率セル）をサンプリング配管Ｓまで挿入し、主配管Ｐから導いた試料に検出部５（導電率セル）を接触させることにより、試料の導電率を測定するのである。
【００３１】
導電率検出器１の進退移動台座は、図５に示すように、土台６の上においてスライド移動する基台７を備えている。
【００３２】
基台７は、図５・図６に示すように、所定の厚みを有する長方形状に形成されている。この基台７には、軸部８を介して挟持部９が固定されている。この挟持部９は、上方が拡開できる二股状のリング片１０，１０により形成されている。また、リング片１０，１０の上端部には、上向きの当接片１１，１１を設けている。
【００３３】
そして、図５・図６に示すように、挟持部９を形成する二股状のリング片１０，１０により導電率検出器１の一部を両側から挟みこみ、当接片１１，１１を接合してボルト１２とナット１３等により固定することにより、基台７の挟持部９に導電率検出器１を取り付けているのである。
【００３４】
この基台７の側面には、図６に示すように、２本の水平棒部材１４，１４を固定している。２本の水平棒部材１４，１４は、基台７の移動範囲を制限する箱体１５に挿入されており、箱体１５の内部に位置する水平棒部材１４，１４の基端部に、板状のストッパー部材１６を固定している。
【００３５】
基台７の移動範囲を制限する箱体１５は、所定の長さを有する矩形状に形成され、内部にストッパー部材１６が移動できる空間を有している。また、箱体１５の後壁部１７には２個の孔１８，１８を設けており、この孔１８，１８を介して、基台７に固定している２本の水平棒部材１４，１４を箱体１５に挿入している。
【００３６】
そして、箱体１５に水平棒部材１４を最も挿入させて、箱体１５の後壁部１７に基台７の側面を当接させたとき、導電率検出器１の検出部５を計器元弁Ｇの先まで挿入させた試料の測定時における導電率検出器１の設置位置に基台７を配置したことになる。
【００３７】
また、箱体１５から水平棒部材１４，１４を最も引き抜いて、箱体１５の後壁部１７にストッパー部材１６を当接させたとき、導電率検出器１の検出部５が計器元弁Ｇにより挟み込まれない位置まで引き抜かれた試料の非測定時における導電率検出器１の設置位置に基台７を配置したことになる。
【００３８】
この他、図５に示すように、基台７に沿った土台６上に、スケール１９を固定している。
【００３９】
サンプリング配管Ｓにて導いている試料である液体の導電率を測定するときは、サンプリング配管Ｓの計器元弁Ｇを開放してから、図１に示すように、導電率検出器１を取り付けている基台７を前方に移動させ、基台７の側面を箱体１５の後壁部１７に当接させる。
【００４０】
このとき、導電率検出器１の検出部５（導電率セル）は、計器元弁Ｇの先まで挿入させた状態となる。そのため、導電率検出器１の検出部５（導電率セル）により、試料である液体の導電率を正確に測定することができる。
【００４１】
測定を終了した後には、図２に示すように、導電率検出器１を取り付けている基台７を後方に移動させ、箱体１５内においてストッパー部材１６を箱体１５の後壁部１７に当接させる。
【００４２】
このとき、導電率検出器１の検出部５（導電率セル）は、計器元弁Ｇにより挟み込まれない位置まで引き抜かれている状態となる。そのため、計器元弁Ｇを閉じても、導電率検出器１の検出部５（導電率セル）が破損することがない。
【産業上の利用可能性】
【００４３】
本発明に係る導電率検出器の進退移動台座は、原子力発電所における沸騰水型や加圧水型の原子炉プラント等におけるサンプリング配管に導いている液体の導電率を測定することの他に、例えば、浄化槽等の様々な液体を採取して、その液体の化学成分等を測定・分析する場合等に幅広く利用することができる。
【図面の簡単な説明】
【００４４】
【図１】導電率検出器を取り付けている移動基台を前方に移動させ、基台の側面を箱体の後壁部に当接させて、導電率検出器の検出部（導電率セル）を計器元弁の先まで挿入させている状態（試料の測定時における導電率検出器の設置位置）を示す側面図である。
【図２】導電率検出器を取り付けている移動基台を後方に移動させ、箱体内においてストッパー部材を箱体の後壁部に当接させて、導電率検出器の検出部（導電率セル）を計器元弁により挟み込まれない位置まで引き抜いている状態（試料の非測定時における導電率検出器の設置位置）を示す側面図である。
【図３】系統の配管から、サンプリング配管を介し、導電率検出器へ試料を導く状態を示す概略図である。
【図４】導電率検出器の構成を示す側面図である。
【図５】導電率検出器を取り付けている基台が、前後方向に移動できるように配置されている状態を示す斜視図である。
【図６】図１におけるＸ−Ｘ線部分の断面図である。
【図７】基台に固定している２本の水平棒部材を箱体内に挿入し、箱体の内部に位置するストッパー部材が箱体の内部で移動して、水平棒部材を挿入・引き抜きできる状態を示す断面図である。
【図８】導電率検出器の検出部の位置を示すもので、（ａ）は導電率検出器の検出部を、計器元弁の先まで挿入させている状態を示す側面図、（ｂ）は導電率検出器の検出部を、計器元弁により挟み込まれない位置まで引き抜いている状態を示す側面図である。
【符号の説明】
【００４５】
Ｐ…主配管
Ｓ…サンプリング配管
Ｇ…計器元弁
１…導電率検出器
２…ユニバーサルヘッド
３…コンジット
４…コネクタハウジング
５…検出部
６…土台
７…基台
８…軸部
９…挟持部
１０，１０…リング片
１１，１１…当接片
１２…ボルト
１３…ナット
１４，１４…水平棒部材
１５…水平棒部材
１６…ストッパー部材
１７…後壁部
１８，１８…孔
１９…スケール
【図１】
2009244099.tif 000003
【図２】
2009244099.tif 000004
【図３】
2009244099.tif 000005
【図４】
2009244099.tif 000006
【図５】
2009244099.tif 000007
【図６】
2009244099.tif 000008
【図７】
2009244099.tif 000009
【図８】
2009244099.tif 000010